(57)【要約】【課題】  簡易な構造でありながら、光ファイバケーブルの支持線部を確実に保持することができる光ファイバケーブル保持具、光ファイバケーブル引き留め構造及び光ファイバケーブル引き留め方法を提供する。【解決手段】  光ファイバケーブル保持具１２は、光ドロップケーブルの支持線部５を締め付ける保持用グリップ部材１４Ａと、支持線部５に対する保持用グリップ部材１４Ａの締付力を補強するためのダミー線１５とを有している。保持用グリップ部材１４Ａは、２本の金属素線１６を一緒に折り返すように曲げてなる折り返し部１７と、この折り返し部１７の両側にそれぞれ設けられ、２本の金属素線１６を一緒に螺旋状に巻回してなる２つの巻き付け部１８とを有し、支持線部５及びダミー線１５を一列に並べた状態で、各巻き付け部１８により支持線部５及びダミー線１５を一括して巻き付ける。【選択図】  図５
2007148121.tif 000002
【特許請求の範囲】
【請求項１】
光ファイバを樹脂被覆してなるケーブル本体部と、前記ケーブル本体部と一体化され、前記光ファイバに沿って延びる金属製の支持線を樹脂被覆してなる支持線部とを有する光ファイバケーブルを、架空ワイヤまたは固定設置物に引き留めるときに、前記ケーブル本体部から分離された前記支持線部を保持するための光ファイバケーブル保持具であって、
前記支持線部を締め付ける保持用グリップ部材と、
金属線を樹脂被覆してなり、前記支持線部に対する前記保持用グリップ部材の締付力を補強するためのダミー線とを備え、
前記保持用グリップ部材は、２本の金属素線を螺旋状に巻回するように形成してなり、前記支持線部及び前記ダミー線を並べた状態で一括して巻き付ける２つの巻き付け部を有することを特徴とする光ファイバケーブル保持具。
【請求項２】
前記保持用グリップ部材は、前記２本の金属素線を折り返すように曲げてなる折り返し部を更に有し、
前記巻き付け部は、前記保持用グリップ部材における前記折り返し部の両側にそれぞれ設けられていることを特徴とする請求項１記載の光ファイバケーブル保持具。
【請求項３】
前記保持用グリップ部材を構成する各金属素線の外径は、前記支持線部及び前記ダミー線の外径と同等以上であることを特徴とする請求項１または２記載の光ファイバケーブル保持具。
【請求項４】
前記ダミー線は、前記支持線部と実質的に同一の構造を有していることを特徴とする請求項１〜３のいずれか一項記載の光ファイバケーブル保持具。
【請求項５】
光ファイバを樹脂被覆してなるケーブル本体部と、前記ケーブル本体部と一体化され、前記光ファイバに沿って延びる金属製の支持線を樹脂被覆してなる支持線部とを有する光ファイバケーブルを、架空ワイヤまたは固定設置物に引き留める光ファイバケーブル引き留め構造であって、
請求項１〜４のいずれか一項記載の光ファイバケーブル保持具と、
前記光ファイバケーブル保持具と前記架空ワイヤまたは前記固定設置物とを繋ぐための引き留め具とを備え、
前記引き留め具は、金属線を樹脂被覆してなる連結線と、前記連結線を２列に並べた状態で締め付ける連結用グリップ部材とを有し、
前記連結用グリップ部材は、２本の金属素線を螺旋状に巻回するように形成してなり、前記連結線を２列に並べた状態で一括して巻き付ける２つの巻き付け部を有することを特徴とする光ファイバケーブル引き留め構造。
【請求項６】
前記連結用グリップ部材は、前記２本の金属素線を折り返すように曲げてなる折り返し部を更に有し、
前記連結用グリップ部材の前記巻き付け部は、前記連結用グリップ部材における前記折り返し部の両側にそれぞれ設けられていることを特徴とする請求項５記載の光ファイバケーブル引き留め構造。
【請求項７】
前記連結用グリップ部材は１対有し、
前記１対の連結用グリップ部材は、各々の前記折り返し部が互いに対向する側とは反対の側に位置するように配置した状態で、各々の前記２つの巻き付け部により前記連結線の両端側部分をそれぞれ巻き付けることを特徴とする請求項６記載の光ファイバケーブル引き留め構造。
【請求項８】
前記連結用グリップ部材を構成する各金属素線の外径は、前記連結線の外径と同等以上であることを特徴とする請求項５〜７のいずれか一項記載の光ファイバケーブル引き留め構造。
【請求項９】
前記連結線は、前記支持線部と実質的に同一の構造を有していることを特徴とする請求項５〜８のいずれか一項記載の光ファイバケーブル引き留め構造。
【請求項１０】
光ファイバを樹脂被覆してなるケーブル本体部と、前記ケーブル本体部と一体化され、前記光ファイバに沿って延びる金属製の支持線を樹脂被覆してなる支持線部とを有する光ファイバケーブルを、架空ワイヤまたは固定設置物に引き留める光ファイバケーブル引き留め方法であって、
請求項１〜４のいずれか一項記載の光ファイバケーブル保持具を用意する工程と、
請求項５〜９のいずれか一項記載の引き留め具を用意する工程と、
前記ケーブル本体部から分離された前記支持線部と前記光ファイバケーブル保持具の前記ダミー線とを並べた状態で、前記光ファイバケーブル保持具の前記保持用グリップ部材により前記支持線部及び前記ダミー線を一括して締め付ける工程と、
前記引き留め具により前記光ファイバケーブル保持具と前記架空ワイヤまたは前記固定設置物とを繋ぐ工程とを含むことを特徴とする光ファイバケーブル引き留め方法。
【発明の詳細な説明】
【技術分野】
【０００１】
本発明は、ケーブル本体部及び支持線部を有する光ファイバケーブルを架空ワイヤ等に引き留めるための光ファイバケーブル保持具、光ファイバケーブル引き留め構造及び光ファイバケーブル引き留め方法に関するものである。
【背景技術】
【０００２】
近年では、ＦＴＴＨ等といった光アクセス網の発達によって、光ファイバが加入者宅まで配線される様になってきている。光ファイバの配線方法としては、例えばメッセンジャーワイヤを各電柱間に掛け渡すように敷設し、メッセンジャーワイヤに光ファイバケーブルを沿わせて保持し、適切な位置で光ファイバケーブルを各加入者宅に引き込むようにしている。このとき、光ファイバケーブルとしては、光ファイバを被覆してなるケーブル本体部と、このケーブル本体部と一体化され、光ファイバに沿って延びる支持線を被覆してなる支持線部とを有する、いわゆる光ドロップケーブルが使用されることが多い。
【０００３】
このような光ドロップケーブルを各加入者宅に引き込む場合には、光ドロップケーブルをメッセンジャーワイヤ等に引き留める必要がある。従来の光ドロップケーブルの引き留め構造としては、例えば特許文献１に記載されているように、光ファイバケーブルを保持するための光ドロップケーブル引き留め用の保持具を利用したものが知られている。
【特許文献１】特開２０００−４１３２５号公報
【発明の開示】
【発明が解決しようとする課題】
【０００４】
しかしながら、上記従来技術の保持具においては、ケーブル本体部と支持線部とが一体化されている光ファイバケーブルを保持する光ケーブル保持部と、ケーブル本体部を保持するケーブル本体保持部と、支持線部を保持する支持線保持部と、支持線部を巻き掛けるアンカーとを有し、それらの保持部及びアンカーは、１枚の基板上に設けられている。このため、光ドロップケーブルを引き留めるための構造が全体的に大型かつ複雑にならざるを得ない。
【０００５】
本発明の目的は、簡易な構造でありながら、光ファイバケーブルの支持線部を確実に保持することができる光ファイバケーブル保持具、光ファイバケーブル引き留め構造及び光ファイバケーブル引き留め方法を提供することである。
【課題を解決するための手段】
【０００６】
本発明は、光ファイバを樹脂被覆してなるケーブル本体部と、ケーブル本体部と一体化され、光ファイバに沿って延びる金属製の支持線を樹脂被覆してなる支持線部とを有する光ファイバケーブルを、架空ワイヤまたは固定設置物に引き留めるときに、ケーブル本体部から分離された支持線部を保持するための光ファイバケーブル保持具であって、支持線部を締め付ける保持用グリップ部材と、金属線を樹脂被覆してなり、支持線部に対する保持用グリップ部材の締付力を補強するためのダミー線とを備え、保持用グリップ部材は、２本の金属素線を螺旋状に巻回するように形成してなり、支持線部及びダミー線を並べた状態で一括して巻き付ける２つの巻き付け部を有することを特徴とするものである。
【０００７】
このような保持用グリップ部材及びダミー線を用いて、光ファイバケーブルを例えば架空ワイヤに引き留める際には、ケーブル本体部から分離された支持線部に対してダミー線を並列に配置した状態で、保持用グリップ部材の２つの巻き付け部により支持線部及びダミー線を一括して巻き付けることにより、支持線部及びダミー線を保持する。そして、その状態で、引き留め具により保持用グリップ部材と架空ワイヤとを繋ぐ。このように光ファイバケーブル保持具は、２つの巻き付け部を有する保持用グリップ部材とダミー線といった単純な部品だけで構成されている。これにより、光ファイバケーブル保持具の構造を大型化させたり複雑化させなくて済む。
【０００８】
ここで、上記のダミー線を使用せずに、保持用グリップ部材の２つの巻き付け部により支持線部のみを巻き付けて保持することも考えられる。しかし、本発明者等は、そのような方法を採用した場合には、夏場等において支持線部の表面に設けられた被覆層の温度が高くなると、被覆層が軟化するため、保持用グリップ部材の巻き付け部が支持線部に対して滑りやすくなり、支持線部に対する保持用グリップ部材の締付力が低下するという新たな事実を見出した。この原因は、以下の通りである。
【０００９】
即ち、支持線部は２つの巻き付け部に挟み込まれた状態となるが、支持線部の断面形状は比較的小径の円形であるため、２つの巻き付け部で支持線部を締め付けたときに、支持線部が包み込まれているにすぎず、被覆層が潰され難いという不具合がある。また、保持用グリップ部材により支持線部の被覆層を十分に押し潰すべく、保持用グリップ部材を構成する各金属素線の外径を太くし過ぎると、螺旋状に形成された巻き付け部により断面円形状の支持線部をうまく締め付けることができなくなる。従って、保持用グリップ部材により支持線部の被覆層を十分に押し潰すことが困難になるため、支持線部に対する保持用グリップ部材の締付力が不足してしまう。
【００１０】
そこで、上述したように支持線部に対してダミー線を並列に配置した状態で、保持用グリップ部材の２つの巻き付け部により支持線部及びダミー線を一括して巻き付けることにより、支持線部及びダミー線は、断面８の字状となった状態で２つの巻き付け部に挟み込まれることとなる。このため、２つの巻き付け部により支持線部及びダミー線が締め付けられたときに、支持線部の被覆層とダミー線の被覆層との間の領域に両被覆層が逃げるようになり、両被覆層が支持線部及びダミー線の並設方向に押し潰されやすくなる。これにより、夏場等において支持線部の被覆層の温度が高くなることで、被覆層が軟化しても、支持線部に対する保持用グリップ部材の締付力が確保されるようになる。
【００１１】
好ましくは、保持用グリップ部材は、２本の金属素線を折り返すように曲げてなる折り返し部を更に有し、巻き付け部は、保持用グリップ部材における折り返し部の両側にそれぞれ設けられている。この場合には、例えば保持用グリップ部材と架空ワイヤとを繋ぐための引き留め具に連結される部分として、折り返し部が利用可能となるので、光ファイバケーブルの引き留め作業を容易に行うことができる。また、２つの巻き付け部が１つの保持用グリップ部材から得られるので、使用する保持用グリップ部材の数を最小限に抑えることができる。
【００１２】
また、好ましくは、保持用グリップ部材を構成する各金属素線の外径は、支持線部及びダミー線の外径と同等以上とする。支持線部及びダミー線は、上述したように、断面８の字状となった状態で保持用グリップ部材の２つの巻き付け部に挟み込まれることとなる。このため、２つの巻き付け部で断面円形状の支持線部のみを締め付ける場合と異なり、保持用グリップ部材を構成する各金属素線の外径をある程度太くしても、螺旋状に形成された巻き付け部により支持線部及びダミー線を十分に締め付けることができる。また、保持用グリップ部材を構成する各金属素線の外径を太くすることにより、保持用グリップ部材により支持線部及びダミー線を締め付けたときに、支持線部及びダミー線に対して大きな圧力がかかるようになる。これにより、支持線部及びダミー線の各被覆層が更に押し潰されやすくなるため、支持線部に対する保持用グリップ部材の締付力が一層高くなる。
【００１３】
さらに、好ましくは、ダミー線は、支持線部と実質的に同一の構造を有している。この場合には、例えば作業等で余った支持線部をそのままダミー線として使用可能となるので、ダミー線を新たに作る必要が無くなる。これにより、不用なコストをかけなくて済む。なお、実質的に同一の構造とは、完全に同一の構造だけでなく、ほぼ同一の構造も含んだものである。
【００１４】
また、本発明は、光ファイバを樹脂被覆してなるケーブル本体部と、ケーブル本体部と一体化され、光ファイバに沿って延びる金属製の支持線を樹脂被覆してなる支持線部とを有する光ファイバケーブルを、架空ワイヤまたは固定設置物に引き留める光ファイバケーブル引き留め構造であって、上述した光ファイバケーブル保持具と、光ファイバケーブル保持具と架空ワイヤまたは固定設置物とを繋ぐための引き留め具とを備え、引き留め具は、金属線を樹脂被覆してなる連結線と、連結線を２列に並べた状態で締め付ける連結用グリップ部材とを有し、連結用グリップ部材は、２本の金属素線を螺旋状に巻回するように形成してなり、連結線を２列に並べた状態で一括して巻き付ける２つの巻き付け部を有することを特徴とするものである。
【００１５】
このような光ファイバケーブル保持具及び引き留め具を用いて、光ファイバケーブルを例えば架空ワイヤに引き留める際には、上述したようにケーブル本体部から分離された支持線部及びダミー線を保持用グリップ部材により一括して締め付ける。そして、その状態で、引き留め具により保持用グリップ部材と架空ワイヤとを繋ぐ。光ファイバケーブル保持具は、上述したように２つの巻き付け部を有する保持用グリップ部材とダミー線といった単純な部品だけで構成されている。また、引き留め具は、保持用グリップ部材と同様に２つの巻き付け部を有する連結用グリップ部材と連結線といった単純な部品だけで構成されている。これにより、光ファイバケーブル保持具及び引き留め具の構造を大型化させたり複雑化させなくて済む。
【００１６】
また、保持用グリップ部材及び連結用グリップ部材としては、同じ構造のものを使用可能となるので、光ファイバケーブルを引き留めるための部品の種類を減らすことができ、コスト的に有利となる。
【００１７】
さらに、光ファイバケーブル保持具においては、保持用グリップ部材の２つの巻き付け部により支持線部及びダミー線を一括して締め付けるときに、上述したように支持線部の被覆層とダミー線の被覆層との間の領域に両被覆層が逃げることで、両被覆層が押し潰されやすくなる。これにより、夏場等において支持線部の被覆層の温度が高くなっても、支持線部に対する保持用グリップ部材の締付力が確保されるようになる。また、引き留め具は、連結線を２列に並べた状態で、連結用グリップ部材の２つの巻き付け部により各列の連結線を一括して締め付けるという、上記の光ファイバケーブル保持具と同じような保持構造となっている。つまり、連結線は、２列であることから、断面８の字状となった状態で２つの巻き付け部に挟み込まれるため、各連結線の被覆層間には、当該被覆層の逃げ部が形成されることとなる。従って、連結線の被覆層の温度が高くなっても、連結線に対する連結用グリップ部材の締付力が確保されるようになる。
【００１８】
好ましくは、連結用グリップ部材は、２本の金属素線を折り返すように曲げてなる折り返し部を更に有し、連結用グリップ部材の巻き付け部は、連結用グリップ部材における折り返し部の両側にそれぞれ設けられている。この場合には、折り返し部は、保持用グリップ部材や架空ワイヤ等と連結される部分として利用可能となるので、光ファイバケーブルの引き留め作業を容易に行うことができる。また、２つの巻き付け部が１つの連結用グリップ部材から得られるので、使用する連結用グリップ部材の数を最小限に抑えることができる。
【００１９】
このとき、連結用グリップ部材は１対有し、１対の連結用グリップ部材は、各々の折り返し部が互いに対向する側とは反対の側に位置するように配置した状態で、各々の２つの巻き付け部により連結線の両端側部分をそれぞれ巻き付けることが好ましい。この場合には、１対の連結用グリップ部材の何れか一方の折り返し部を保持用グリップ部材に連結し、１対の連結用グリップ部材の他方の折り返し部を架空ワイヤ等に連結することにより、光ファイバケーブルの引き留め作業を更に容易に行うことができる。
【００２０】
また、好ましくは、連結用グリップ部材を構成する各金属素線の外径は、連結線の外径と同等以上である。連結線は、上述したように、断面８の字状となった状態で連結用グリップ部材の２つの巻き付け部に挟み込まれることとなる。このため、連結用グリップ部材を構成する各金属素線の外径をある程度太くしても、螺旋状に形成された巻き付け部により２列状態の連結線を十分に締め付けることができる。また、連結用グリップ部材を構成する各金属素線の外径を太くすることにより、連結用グリップ部材により連結線を締め付けるときに、連結線に対して大きな圧力がかかるようになる。これにより、連結線の被覆層が更に押し潰されやすくなるため、連結線に対する連結用グリップ部材の締付力が一層高くなる。
【００２１】
さらに、好ましくは、連結線は、支持線部と実質的に同一の構造を有している。この場合には、例えば作業等で余った支持線部をそのまま連結線として使用可能となるので、連結線を新たに作る必要が無くなる。これにより、不用なコストをかけなくて済む。なお、実質的に同一の構造とは、完全に同一の構造だけでなく、ほぼ同一の構造も含んだものである。
【００２２】
また、本発明は、光ファイバを樹脂被覆してなるケーブル本体部と、ケーブル本体部と一体化され、光ファイバに沿って延びる金属製の支持線を樹脂被覆してなる支持線部とを有する光ファイバケーブルを、架空ワイヤまたは固定設置物に引き留める光ファイバケーブル引き留め方法であって、上述した光ファイバケーブル保持具を用意する工程と、上述した引き留め具を用意する工程と、ケーブル本体部から分離された支持線部と光ファイバケーブル保持具のダミー線とを並べた状態で、光ファイバケーブル保持具の保持用グリップ部材により支持線部及びダミー線を一括して締め付ける工程と、引き留め具により光ファイバケーブル保持具と架空ワイヤまたは固定設置物とを繋ぐ工程とを含むことを特徴とするものである。
【００２３】
このように上述した光ファイバケーブル保持具及び引き留め具を用いて、光ファイバケーブルを架空ワイヤまたは固定設置物に引き留めることにより、光ファイバケーブルを引き留めるための構造を大型化させたり複雑化させなくて済む。
【００２４】
また、夏場等において支持線部の被覆層の温度が高くなっても、支持線部に対する保持用グリップ部材の締付力を確保することができる。さらに、引き留め具の一部である連結線の被覆層の温度が高くなっても、連結線に対する連結用グリップ部材の締付力を確保することができる。
【００２５】
さらに、架空ワイヤが設置されていない場所においても、引き留め具における連結線の長さを調整することで、光ファイバケーブルを電柱等の固定設置物に確実に引き留めることができる。
【発明の効果】
【００２６】
本発明によれば、簡易な構造でありながら、光ファイバケーブルの支持線部を確実に保持することができる。これにより、光ファイバの特性等に悪影響を及ぼすことを防止しつつ、光ファイバケーブルの引き留めに係わる作業性の向上と低コスト化とを図ることが可能となる。
【発明を実施するための最良の形態】
【００２７】
以下、本発明に係る光ファイバケーブル保持具、光ファイバケーブル引き留め構造及び光ファイバケーブル引き留め方法の好適な実施形態について、図面を参照して詳細に説明する。
【００２８】
図１は、本発明に係る光ファイバケーブル引き留め構造の一実施形態を示す構成図である。同図において、本実施形態の光ファイバケーブル引き留め構造１は、光ファイバケーブルの一つである光ドロップケーブル２を各家庭に引き込む際に、光ドロップケーブル２をメッセンジャーワイヤ（架空ワイヤ）３や電柱等に引き留めるものである。
【００２９】
光ドロップケーブル２は、図２に示すように、ケーブル本体部４と、このケーブル本体部４と一体化された支持線部５とから構成されている。ケーブル本体部４は、１本または２本（図では１本）の光ファイバ６と、この光ファイバ６の両側に配置され、金属線等からなる１対の抗張力線７と、これらの光ファイバ６及び抗張力線７を一括して被覆してなるシース（被覆層）８とからなっている。支持線部５は、光ファイバ６の軸方向に沿って延び、例えばＺｎめっき綱線等からなる支持線９と、この支持線９を被覆してなるシース１０とからなっている。シース８，１０は、ＰＥ等の熱可塑性樹脂により形成されている。シース８，１０同士は、首部１１を介して一体化されている。
【００３０】
光ファイバケーブル引き留め構造１は、そのような光ドロップケーブル２をメッセンジャーワイヤ３等に引き留めるときに、ケーブル本体部４から分離された支持線部５を保持するための光ファイバケーブル保持具１２と、この光ファイバケーブル保持具１２とメッセンジャーワイヤ３等とを繋ぐための引き留め具１３とを備えている。
【００３１】
光ファイバケーブル保持具１２は、支持線部５を締め付ける２つの保持用グリップ部材１４Ａ，１４Ｂと、支持線部５に対する保持用グリップ部材１４Ａ，１４Ｂの締付力（掌握力）を補強するためのダミー線１５（図３参照）とを有している。
【００３２】
保持用グリップ部材１４Ａ，１４Ｂは、図３に示すように、２本の断面円形状の金属素線１６を一緒に折り曲げることにより形成されている。このとき、２本の金属素線１６同士を撚らせた状態（図３参照）で折り曲げても良いし、２本の金属素線１６を一列に並べた状態で折り曲げても良い。なお、金属素線１６としては、例えばＺｎめっき綱線等が用いられる。
【００３３】
保持用グリップ部材１４Ａ，１４Ｂは、２本の金属素線１６を一緒にＵ字状に折り返すように曲げてなる折り返し部１７と、この折り返し部１７の両側にそれぞれ設けられ、２本の金属素線１６を一緒に螺旋状に巻回してなる２つの巻き付け部１８とを有している。そして、保持用グリップ部材１４Ａ，１４Ｂは、支持線部５及びダミー線１５を一列に並べた状態で、各巻き付け部１８により支持線部５及びダミー線１５を一括して巻き付けることにより、支持線部５及びダミー線１５を一緒に締め付けるように構成されている。
【００３４】
ダミー線１５は、支持線部５と同じ構造を有している。支持線部５は、図４に示すように、支持線９の外径Ａが１．２ｍｍ程度、シース１０の外径Ｂが２．０ｍｍ程度といった断面円形状を有している。なお、１．２ｍｍ程度とは、１．２ｍｍの許容誤差（例えば±０．０５ｍｍ）の範囲内であり、２．０ｍｍ程度とは、２．０ｍｍの許容誤差（例えば±０．０５ｍｍ）の範囲内である。
【００３５】
光ドロップケーブル２の支持線部５は、配線工事等において余ってしまうことが多い。従って、そのような無駄になった支持線部５をダミー線１５として有効利用することにより、ダミー線１５を別途作製しなくて済むため、その分コストを抑えることができる。
【００３６】
また、図４に示すように、保持用グリップ部材１４Ａ，１４Ｂを構成する金属素線１６の外径Ｃは、支持線部５の外径Ｂと同等であるか、支持線部５の外径Ｂよりも大きくなっている。このため、金属素線１６の外径Ｃは、支持線部５の支持線９の外径Ａよりも大きいこととなる。
【００３７】
このような保持用グリップ部材１４Ａ，１４Ｂ及びダミー線１５を用いて、ケーブル本体部４から分離された支持線部５を保持する場合には、図１に示すように、保持用グリップ部材１４Ａによりダミー線１５の一端側部分と支持線部５の対応する部分とを締め付け、保持用グリップ部材１４Ｂによりダミー線１５の他端側部分と支持線部５の対応する部分とを締め付けると共に、保持用グリップ部材１４Ａ，１４Ｂの折り返し部１７同士を連結する。
【００３８】
具体的には、まず図５（ａ），（ｂ）に示すように、ケーブル本体部４から分離された支持線部５とダミー線１５とを並べた状態で、保持用グリップ部材１４Ａの一方の巻き付け部１８により支持線部５及びダミー線１５を一括して巻き付ける。このとき、保持用グリップ部材１４Ａの中央側（折り返し部１７側）から端部側に向けて、巻き付け部１８を支持線部５及びダミー線１５に対して嵌め込んでいく。
【００３９】
続いて、図５（ｃ），（ｄ）に示すように、保持用グリップ部材１４Ａの他方の巻き付け部１８により支持線部５及びダミー線１５を一括して巻き付ける。このとき、先に巻き付けた一方の巻き付け部１８に隣接して支持線部５及びダミー線１５が巻き付けられるように、当該他方の巻き付け部１８を、保持用グリップ部材１４Ａの中央側から端部側に向けて支持線部５及びダミー線１５に対して嵌め込んでいく。
【００４０】
続いて、その状態で、保持用グリップ部材１４Ａを引き伸ばすように両側に引っ張ることで、各巻き付け部１８の螺旋内径Ｄ（図４参照）が僅かに小さくなり、支持線部５及びダミー線１５が締め付けられて保持される。そして、保持用グリップ部材１４Ａの両端部をビニールテープ等の固定部材１９により光ドロップケーブル２に固定する（図１参照）。
【００４１】
保持用グリップ部材１４Ｂについても、上記と同様にして支持線部５及びダミー線１５を保持して固定する。なお、巻き付け部１８を支持線部５及びダミー線１５に対して嵌め込むときには、巻き付け部１８の内面（支持線部５及びダミー線１５と接触する面）に、支持線部５及びダミー線１５との摩擦力を増大させるための研磨剤（例えばアルミナ等）を塗り付けるのが望ましい。これにより、保持用グリップ部材１４Ａ，１４Ｂにより支持線部５及びダミー線１５を保持した状態において、巻き付け部１８が抜けにくくなる。
【００４２】
図１に戻り、以上のような光ファイバケーブル保持具１２と接続される引き留め具１３は、連結線２０と、この連結線２０を締め付ける２つの連結用グリップ部材２１Ａ，２１Ｂとを有している。連結線２０は、光ドロップケーブル２の支持線部５と同じ構造を有している。これにより、上記のダミー線１５と同様に、配線工事等で余った支持線部５を連結線２０として有効利用することで、連結線２０を別途作製しなくて済む。
【００４３】
連結用グリップ部材２１Ａ，２１Ｂは、上記の保持用グリップ部材１４Ａ，１４Ｂと全く同様の構造を有している。つまり、連結用グリップ部材２１Ａ，２１Ｂは、折り返し部２２と、この折り返し部２２の両側にそれぞれ設けられた２つの巻き付け部２３とを有している。連結用グリップ部材２１Ａ，２１Ｂは、図６に示すように、２本の連結線２０を一列に並べた状態で、各巻き付け部２３により各連結線２０を一括して巻き付けることにより、各連結線２０を一括して締め付けて保持している。そして、連結用グリップ部材２１Ａ，２１Ｂの両端部は、ビニールテープ等の固定部材２４により連結線２０に固定されている（図１参照）。
【００４４】
このとき、連結用グリップ部材２１Ａは、２本の連結線２０の一端側部分を一括して締め付けており、連結用グリップ部材２１Ｂは、２本の連結線２０の他端側部分を一括して締め付けている。また、連結用グリップ部材２１Ａ，２１Ｂは、各折り返し部２２が互いに対向する側とは反対側を向くように配置されている。なお、巻き付け部２３の巻き付け手法は、上記の保持用グリップ部材１４Ａ，１４Ｂの巻き付け部１８と同様である。
【００４５】
図７は、メッセンジャーワイヤ３が敷設されている都市部において、光ドロップケーブル２を各家庭に引き込んだ配線状態を示す概略図である。
【００４６】
同図において、メッセンジャーワイヤ３は、例えば銅より線等で構成され、各電柱Ｐを掛け渡すように敷設されている。光ドロップケーブル２は、メッセンジャーワイヤ３に沿って延びるように敷設されている。そして、光ドロップケーブル２は、任意の引き留め位置において加入者宅Ｑに引き込まれるように配線されている。光ドロップケーブル２の引き留め位置では、光ドロップケーブル２のケーブル本体部４と支持線部５とが分離されている。そして、その分離された支持線部５は、上述した光ファイバケーブル引き留め構造１によりメッセンジャーワイヤ３に引き留められている。
【００４７】
実際に光ドロップケーブル２の引き留め作業を行う場合は、光ファイバケーブル保持具１２を構成する保持用グリップ部材１４Ａ，１４Ｂ及びダミー線１５と、引き留め具１３とを用意する。なお、引き留め具１３については、予め作っておいても良いし、作業現場で作っても良い。
【００４８】
まず、引き留め具１３における連結用グリップ部材２１Ａの折り返し部２２に、保持用グリップ部材１４Ａ，１４Ｂの折り返し部１７をそれぞれ通して係止させることにより、連結用グリップ部材２１Ａと保持用グリップ部材１４Ａ，１４Ｂとを繋いでおく。そして、ケーブル本体部４から分離された支持線部５に対してダミー線１５とを並べた状態で、保持用グリップ部材１４Ａにより支持線部５の一部とダミー線１５の一端側部分とを締め付け、保持用グリップ部材１４Ｂにより支持線部５の他の一部とダミー線１５の他端側部分とを締め付ける。そして、メッセンジャーワイヤ３に設けられたフックＦに、引き留め具１３における連結用グリップ部材２１Ｂの折り返し部２２を引っ掛ける。
【００４９】
このように光ドロップケーブル２をメッセンジャーワイヤ３に引き留めることにより、光ドロップケーブル２のケーブル本体部４を支持線部５に対して確実に迂回させることができる。これにより、ケーブル本体部４に内蔵された光ファイバ６を急激に曲げることが防止されるため、光伝送損失の増大を抑えることができる。なお、必要に応じて、支持線部５に対して迂回させたケーブル本体部４を保持用グリップ部材１４Ａ，１４Ｂの巻き付け部１８にビニールテープ等で留めても良い。
【００５０】
光ドロップケーブル２の引き留め作業を行う手順としては、特に上記のものには限られない。例えば、引き留め具１３における連結用グリップ部材２１Ｂの折り返し部２２を、先にフックＦに引っ掛けておいても良い。
【００５１】
また、光ドロップケーブル２の引き留め作業を行いながら、引き留め具１３を作製しても良い。この場合には、まず保持用グリップ部材１４Ａにより支持線部５の一部とダミー線１５の一端側部分とを締め付け、保持用グリップ部材１４Ｂにより支持線部５の他の一部とダミー線１５の他端側部分とを締め付ける。そして、引き留め具１３における連結用グリップ部材２１Ａの折り返し部２２と保持用グリップ部材１４Ａ，１４Ｂの折り返し部１７とをそれぞれ繋いだ状態で、連結用グリップ部材２１Ａにより各連結線２０の一端側部分を締め付け、連結用グリップ部材２１Ｂにより各連結線２０の他端側部分を締め付ける。そして、引き留め具１３における連結用グリップ部材２１Ｂの折り返し部２２をフックＦに引っ掛ける。
【００５２】
図８は、メッセンジャーワイヤ３が敷設されていない郊外において、光ドロップケーブル２を各家庭に引き込んだ配線状態を示す概略図である。
【００５３】
同図において、光ドロップケーブル２は、各電柱Ｐを掛け渡すように敷設されていると共に、任意の引き留め位置において加入者宅Ｑに引き込まれるように配線されている。光ドロップケーブル２の引き留め位置では、ケーブル本体部４から分離された支持線部５が光ファイバケーブル引き留め構造１により電柱Ｐの一つに引き留められている。光ドロップケーブル２の引き留め方法は、メッセンジャーワイヤ３がある場合と同様である。このとき、引き留め具１３における連結用グリップ部材２１Ｂの折り返し部２２は、電柱Ｐに設けられたフックＦに引っ掛けられる。
【００５４】
この場合には、引き留め具１３における連結線２０の長さを適宜変えることにより、特にメッセンジャーワイヤ３を設置しなくても、光ドロップケーブル２を電柱Ｐに引き留めることができる。これにより、新たにメッセンジャーワイヤを張るためのコストを削減することが可能となる。
【００５５】
ここで、比較例として、保持用グリップ部材１４Ａ，１４Ｂにより支持線部５のみを締め付ける場合には、当該支持線部５は、図９に示すように、保持用グリップ部材１４Ａ，１４Ｂの２つの巻き付け部１８により挟み込まれる状態となる。このとき、支持線部５は断面円形状を呈しているので、保持用グリップ部材１４Ａ，１４Ｂにより支持線部５を締め付けるときに、支持線部５のシース１０の有効な逃げ部が無く、シース１０が潰れにくくなる。また、保持用グリップ部材１４Ａ，１４Ｂを構成する金属素線１６を支持線部５に対して太くすると、螺旋状の巻き付け部１８により断面円形状の支持線部５をうまく締め付けることができなくなる。このため、金属素線１６を支持線部５に対して細くせざるを得ず、この場合には支持線部５に大きな力をかけることが困難となる。
【００５６】
このような事から、保持用グリップ部材１４Ａ，１４Ｂにより支持線部５を締め付けても、支持線部５のシース１０を十分に押し潰すことができないので、締め付け後の巻き付け部１８の螺旋内径Ｄが十分に小さくならず、支持線部５の支持線９と金属素線１６との間に肉厚の大きなシース１０が介在する状態となる。実際に、支持線の外径が１．２ｍｍ、シースの外径が２ｍｍという支持線部を、外径１．２ｍｍの金属素線で形成した保持用グリップ部材により締め付けたところ、巻き付け部の螺旋内径は１．８〜２．０ｍｍ程度であり、あまり小さくならなかった。
【００５７】
このような場合には、夏場等において支持線部５のシース１０の温度が例えば４０℃以上に高くなると、シース１０が軟化し、保持用グリップ部材１４Ａ，１４Ｂの巻き付け部１８が支持線部５に対して滑りやすくなるため、支持線部５に対する保持用グリップ部材１４Ａ，１４Ｂの締付力が低下してしまう。その結果、保持用グリップ部材１４Ａ，１４Ｂにより支持線部５を十分に保持できなくなるので、光ドロップケーブル２をメッセンジャーワイヤ３等に確実に引き留めることが困難になる。この場合には、例えば光ドロップケーブル２の引き留め位置において、強風等により光ドロップケーブル２が大きく揺れ動いたり落下して、光ファイバ６の特性等に悪影響を及ぼす可能性がある。
【００５８】
これに対し本実施形態では、支持線部５と同じ構造のダミー線１５を用意し、保持用グリップ部材１４Ａ，１４Ｂにより支持線部５とダミー線１５とを一緒に締め付けるように構成している。このため、保持用グリップ部材１４Ａ，１４Ｂの２つの巻き付け部１８は、図４に示すように、断面８の字状となるように配置された支持線部５及びダミー線１５を挟み込むことになる。このとき、締め付け前の状態では、支持線部５とダミー線１５との間には、断面略Ｖ字状の逃げ用溝部２５が形成されることになる（図４（ａ）参照）。従って、巻き付け部１８により支持線部５及びダミー線１５を締め付けたときには、支持線部５及びダミー線１５のシース１０が逃げ用溝部２５側に逃げる（変形する）ので、支持線部５及びダミー線１５の並設方向にシース１０が潰れやすくなる（図４（ｂ）参照）。
【００５９】
また、支持線部５及びダミー線１５を並べることで、２つの巻き付け部１８は、断面円形状の支持線部５だけでなく、上記のように断面８の字状に形成された支持線部５及びダミー線１５を挟み込むことになる。このため、保持用グリップ部材１４Ａ，１４Ｂを構成する金属素線１６の外径Ｃをある程度太くしても、巻き付け部１８により支持線部５及びダミー線１５を一括してうまく締め付けることができ、特に支障は無い。従って、金属素線１６の外径Ｃを支持線部５の外径Ｂと同等以上に太くすることにより、巻き付け部１８により大きな力を支持線部５にかけることができる。よって、支持線部５及びダミー線１５の並設方向にシース１０が更に潰れやすくなる。
【００６０】
これにより、締め付け後の巻き付け部１８の螺旋内径Ｄが十分に小さくなり、支持線部５の支持線９と金属素線１６との間にはシース１０が殆ど介在しない状態となる。つまり、巻き付け部１８は、支持線部５及びダミー線１５の支持線９をほぼ直接挟持する状態となる（図４（ｂ）参照）。
【００６１】
従って、夏場等において光ドロップケーブル２のシース１０の温度が高くなり、シース１０が軟化した場合でも、保持用グリップ部材１４Ａ，１４Ｂの巻き付け部１８が支持線部５に対して滑ることが抑えられるため、支持線部５に対する保持用グリップ部材１４Ａ，１４Ｂの締付力が十分確保されるようになる。その結果、光ドロップケーブル２をメッセンジャーワイヤ３や電柱Ｐに確実に引き留めることができる。
【００６２】
ここで、支持線９の外径Ａが１．２ｍｍ程度である支持線部５及びダミー線１５を使用する場合には、保持用グリップ部材１４Ａ，１４Ｂにより支持線部５及びダミー線１５が締め付けられた状態において、巻き付け部１８の螺旋内径Ｄが２．４０〜３．０５ｍｍであるのが好ましい。このような構成であれば、支持線部５のシース１０の温度が上昇しても、支持線部５に対する保持用グリップ部材１４Ａ，１４Ｂの締付力を十分に確保することができる。
【００６３】
また、引き留め具１３において、連結用グリップ部材２１Ａ，２１Ｂによる連結線２０の保持構造は、光ファイバケーブル保持具１２と全く同じである。このため、上記の光ファイバケーブル保持具１２の場合と同様に、引き留め具１３の温度が高くなっても、連結線２０に対する連結用グリップ部材２１Ａ，２１Ｂの締付力を十分に確保することができる。
【００６４】
ここで、グリップ部材により支持線部のみを締め付けた場合と、グリップ部材により支持線部及びダミー線を一括して締め付けた場合とで、実際に高温締付力試験を行ったので、その結果について説明する。
【００６５】
まず、グリップ部材により支持線部のみを締め付けた状態のサンプルと、グリップ部材により支持線部及びダミー線を一括して締め付けた状態のサンプルとを用意した。これらのサンプルの長さは、５０ｃｍ程度である。試験方法としては、サンプルを試験装置（高温層）内に入れ、試験装置内をブラックライトで加熱すると共に、サンプルを両側から引っ張って荷重をかけるようにした。なお、グリップ部材により支持線部及びダミー線を一括して締め付けた状態のサンプルについては、グリップ部材の巻き付け部の内面に研磨剤を塗り付けた。
【００６６】
グリップ部材により支持線部のみを締め付けた状態のサンプルでは、試験装置内が４０℃以上になったときに、サンプルの両側に７００Ｎの引っ張り荷重をかけると、グリップ部材の締付力不足が発生した。これに対し、グリップ部材により支持線部及びダミー線を一括して締め付けた状態のサンプルでは、試験装置内が６０℃になったときに、サンプルの両側に１２００Ｎの引っ張り荷重をかけても、グリップ部材の締付力不足が発生することは無かった。
【００６７】
以上のように本実施形態にあっては、光ファイバケーブル保持具１２を保持用グリップ部材１４Ａ，１４Ｂとダミー線１５とで構成したので、光ファイバケーブル保持具１２の小型化及び簡素化を図ることができる。また、引き留め具１３を連結線２０と連結用グリップ部材２１Ａ，２１Ｂとで構成したので、引き留め具１３の小型化及び簡素化を図ることもできる。これにより、光ファイバケーブル引き留め構造１の低コスト化を実現することが可能となる。
【００６８】
また、光ファイバケーブル保持具１２においては、保持用グリップ部材１４Ａ，１４Ｂにより支持線部５及びダミー線１５をまとめて締め付けるので、上述したように支持線部５の温度が高くなっても、支持線部５を確実に保持することができる。また、引き留め具１３においては、連結用グリップ部材２１Ａ，２１Ｂにより２本の連結線２０をまとめて締め付けるので、上述したように連結線２０の温度が高くなっても、連結線２０を確実に保持することができる。このため、環境温度が高くなっても、光ドロップケーブル２をメッセンジャーワイヤ３や電柱Ｐに確実に引き留めることができる。これにより、光ドロップケーブル２の引き留め位置において、光ドロップケーブル２が大きく揺れ動いて光ファイバ６の特性等に悪影響を及ぼすことを回避できる。
【００６９】
さらに、保持用グリップ部材１４Ａ，１４Ｂには折り返し部１７が設けられ、連結用グリップ部材２１Ａ，２１Ｂには折り返し部２２が設けられており、これらの折り返し部１７，２２を用いて、光ファイバケーブル保持具１２及びフックＦと引き留め具１３との接続を行うことにより、光ドロップケーブル２をメッセンジャーワイヤ３及び電柱Ｐに容易に引き留めることができる。また、光ファイバケーブル保持具１２により支持線部５を保持するときに、支持線部５のシース１０をいちいち剥がす必要が無いので、光ドロップケーブル２を引き留める際の作業性を向上させることができる。
【００７０】
また、支持線部５を巻き掛ける金物等が不要となるので、例えば鳥が光ファイバケーブル保持具１２や引き留め具１３の上に巣を作ることを防止できる。これにより、鳥の巣を原因とした光ドロップケーブル２の損傷等を回避することが可能となる。
【００７１】
さらに、光ドロップケーブル２の支持線部５を保持する際に、従来のように支持線部５を金物等に巻き付けた場合には、当然の事ながら支持線部５は曲げられることになる。しかし、一度曲げられた支持線部５は、真っ直ぐ延びるように加工することが困難であるため、再利用できなくなる。本実施形態では、支持線部５はほぼ真っ直ぐ延びた状態で保持されるので、支持線部５の再利用が可能となる。
【００７２】
なお、本発明は、上記実施形態に限定されるものではない。例えば上記実施形態では、保持用グリップ部材１４Ａ，１４Ｂを構成する金属素線１６の外径Ｃを支持線部５の外径Ｂと同等以上としたが、保持用グリップ部材１４Ａ，１４Ｂにより支持線部５及びダミー線１５をまとめて締め付けたときに、支持線部５に対する保持用グリップ部材１４Ａ，１４Ｂの締付力が十分に得られるのであれば、金属素線１６を支持線部５よりも細くしても良い。
【００７３】
また、上記実施形態では、ダミー線１５及び連結線２０をドロップケーブル２の支持線部５と同じ構造を有するものとしたが、使用するダミー線１５及び連結線２０としては特にこれに限られず、金属線を樹脂被覆してなるものであれば良い。
【００７４】
さらに、上記実施形態では、引き留め具１３の構成として、２本の連結線２０を並べることで連結線２０を２列状態にしたが、図１０に示すように、１本の連結線２０をＵ字状に折り返すようにすることで、連結線２０を２列状態にしても良い。
【図面の簡単な説明】
【００７５】
【図１】本発明に係る光ファイバケーブル引き留め構造の一実施形態を示す構成図である。
【図２】図１に示す光ドロップケーブルの断面図である。
【図３】図１に示す光ファイバケーブル保持具の部品構成図である。
【図４】図３に示す保持用グリップ部材により光ドロップケーブルの支持線部及びダミー線が締め付けられる状態を示す断面図である。
【図５】図３に示す保持用グリップ部材の巻き付け部により光ドロップケーブルの支持線部及びダミー線を一括して巻き付ける手順を示す図である。
【図６】図１に示す引き留め具の一部構成図である。
【図７】メッセンジャーワイヤがある都市部において、図２に示す光ドロップケーブルを各家庭に引き込んだ配線状態を示す概略図である。
【図８】メッセンジャーワイヤの無い郊外において、図２に示す光ドロップケーブルを各家庭に引き込んだ配線状態を示す概略図である。
【図９】比較例として、図３に示す保持用グリップ部材により支持線部のみが締め付けられる状態を示す断面図である。
【図１０】図６に示す引き留め具の変形例の一部構成図である。
【符号の説明】
【００７６】
１…光ファイバケーブル引き留め構造、２…光ドロップケーブル（光ファイバケーブル）、３…メッセンジャーワイヤ（架空ワイヤ）、４…ケーブル本体部、５…支持線部、６…光ファイバ、７…抗張力線、８…シース、９…支持線、１０…シース、１１…首部、１２…光ファイバケーブル保持具、１３…引き留め具、１４Ａ，１４Ｂ…保持用グリップ部材、１５…ダミー線、１６…金属素線、１７…折り返し部、１８…巻き付け部、１９…固定部材、２０…連結線、２１Ａ，２１Ｂ…連結用グリップ部材、２２…折り返し部、２３…巻き付け部、２４…固定部材、Ｐ…電柱（固定設置物）。
【図１】
2007148121.tif 000003
【図２】
2007148121.tif 000004
【図３】
2007148121.tif 000005
【図４】
2007148121.tif 000006
【図５】
2007148121.tif 000007
【図６】
2007148121.tif 000008
【図７】
2007148121.tif 000009
【図８】
2007148121.tif 000010
【図９】
2007148121.tif 000011
【図１０】
2007148121.tif 000012